【手続補正書】
【提出日】平成18年3月9日(2006.3.9)
【手続補正１】
【補正対象書類名】明細書
【補正対象項目名】特許請求の範囲
【補正方法】変更
【補正の内容】
【特許請求の範囲】
【請求項１】  レンズ面を含む累進眼鏡レンズ素子であって、レンズ面は、
遠方視力に対応する屈折力を達成するために比較的低い面度数を有する上方視部と、
近方視力に対応する屈折力を達成するために上方視部よりも高い面度数を有する下方視部と、
レンズ素子を横切って延び、上方視部から下方視部へと変化する面度数を有し、比較的低い面非点収差のコリドーを含む中間部とを有し、
素子は近視の進行を低下させるよう選択される累進設計要素を含み、レンズ素子は少年による使用のために設計され、０．５０Ｄから４．００Ｄの範囲のベースカーブを示す、累進眼鏡レンズ素子。
【請求項２】  近視の進行を低下させるよう選択される累進設計要素を含む累進眼鏡レンズ素子であって、レンズ面は、
遠方視力に対応する屈折力を達成するために比較的低い面度数を有する上方視部と、
近方視力に対応する屈折力を達成するために上方視部よりも高い面度数を有する下方視部と、
レンズ素子を横切って延び、上方視部から下方視部へと変化する面度数を有し、比較的低い面非点収差の比較的短いコリドーを含む中間部とを有し、
素子は少年による使用のために設計され、０．５０Ｄから４．００Ｄの範囲のベースカーブを示し、コリドーの長さは近業のための必要な加入度の着用者による使用を促進するよう選択される、累進眼鏡レンズ素子。
【請求項３】  コリドーの長さは約１５ｍｍ以下である、請求項２に記載の眼鏡レンズ素子。
【請求項４】  コリドーの長さは約１０ｍｍから約１４ｍｍである、請求項３に記載の眼鏡レンズ素子。
【請求項５】  下方視部は低から中間の範囲の加入度を示す、請求項２に記載の眼鏡レンズ素子。
【請求項６】  下方視部は約１．２５Ｄから約２．５０Ｄの範囲の加入度を示す、請求項５に記載の眼鏡レンズ素子。
【請求項７】  レンズ素子は低から中間の加入度では比較的低い面非点収差を有する比較的広い上方視部を示す、請求項２に記載の眼鏡レンズ素子。
【請求項８】  レンズ素子は高い加入度ではわずかに増加した面非点収差を示す、請
求項７に記載の眼鏡レンズ素子。
【請求項９】  側頭０．５０Ｄ非点収差輪郭から鼻０．５０Ｄ非点収差輪郭までで測定される上方視部の幅は、約２．００Ｄまでの加入度を有するレンズでは、幾何学レンズ中心の７ｍｍ上方の垂直高さで約３４ｍｍ以上である、請求項８に記載の眼鏡レンズ素子。
【請求項１０】  側頭０．５０Ｄ非点収差輪郭から鼻０．５０Ｄ非点収差輪郭までで測定される上方視部の幅は、約２．００Ｄを超える加入度では、幾何学レンズ中心の７ｍｍ上方の垂直高さで約２５ｍｍ以上である、請求項９に記載の眼鏡レンズ素子。
【請求項１１】  遠用部境界（distance boundary）はレンズ素子の周辺に向かって高くなる、請求項２に記載の眼鏡レンズ素子。
【請求項１２】  側頭１．００Ｄ非点収差輪郭から鼻１．００Ｄ非点収差輪郭までで測定される近用部の幅は、約１．５０Ｄまでの加入度を有するレンズでは、幾何学レンズ中心から−９ｍｍの垂直高さで約１４ｍｍ以上である、請求項２に記載の眼鏡レンズ素子。
【請求項１３】  側頭１．００Ｄ非点収差輪郭から鼻１．００Ｄ非点収差輪郭までで測定される近用部の幅は、１．５０Ｄを超える加入度を有するレンズでは、幾何学レンズ中心から−９ｍｍの垂直高さで約１０ｍｍ以上である、請求項２に記載の眼鏡レンズ素子。
【請求項１４】  近視の進行を低下させるよう選択される累進設計要素を含む累進眼鏡レンズ素子であって、累進眼鏡レンズ素子はレンズ面を含み、レンズ面は、
遠方視力に対応する屈折力を達成するために比較的低い面度数を有する上方視部と、
近方視力に対応する屈折力を達成するために上方視部よりも高い面度数を有する下方視部と、
レンズ素子を横切って延び、上方視部から下方視部へと変化する面度数を有し、比較的低い面非点収差の比較的短いコリドーを含む中間部とを有し、
レンズ素子は少年による使用のために設計され、０．５０Ｄから４．００Ｄの範囲のベースカーブを示し、コリドーの長さは近業のための必要な加入度の着用者による使用を促進するよう選択され、
低から中間の加入度では比較的低い面非点収差を有する比較的広い上方視部を有し、
遠用部境界はレンズ素子の周辺に向かってわずかに高くなり、
レンズ素子の下部はわずかに低減した周辺非点収差を示す、累進眼鏡レンズ素子。
【請求項１５】  コリドー長さは約１５ｍｍ以下である、請求項１４に記載の眼鏡レンズ素子。
【請求項１６】  近視の進行を阻止するための方法であって、この方法は、１対の累進眼鏡レンズ素子を有する眼鏡を患者に与えることを含み、各レンズ素子はレンズ面を含み、レンズ面は、
遠方視力に対応する屈折力を達成するために比較的低い面度数を有する上方視部と、
近方視力に対応する屈折力を達成するために上方視部よりも高い面度数を有する下方視部と、
レンズ素子を横切って延び、上方視部から下方視部へと変化する面度数を有し、比較的低い面非点収差の比較的短いコリドーを含む中間部とを有し、素子は少年による使用のために設計され、０．５０Ｄから４．００Ｄの範囲のベースカーブを示し、コリドーの長さは近業のための必要な加入度の着用者による使用を促進するよう選択される、方法。
【請求項１７】  近視の発症は少年の近視進行と関連する、請求項１６に記載の方法。
【請求項１８】  少年の近視進行率は著しく低減される、請求項１７に記載の方法。
【請求項１９】  各レンズ素子は、低から中間の加入度で比較的低い面非点収差を有する比較的広い上方視部を示し、
遠用部境界はレンズ素子の周辺に向かってわずかに高くなり、
レンズの下部はわずかに低減した周辺非点収差を示す、請求項１６に記載の方法。
【請求項２０】  各レンズは約１５ｍｍ以下のコリドー長さを示す、請求項１９に記載の方法。
【請求項２１】  一連の累進眼鏡レンズ素子であって、各レンズ素子は近視の進行を低下させるよう選択され、レンズ面を含む累進レンズ素子を含み、レンズ面は、
遠方視力に対応する屈折力を達成するために比較的低い面度数を有する上方視部と、
近方視力に対応する屈折力を達成するために上方視部よりも高い面度数を有する下方視部と、
レンズ素子を横切って延び、上方視部から下方視部へと変化する面度数を有し、比較的低い面非点収差の比較的短いコリドーを含む中間部とを有し、
各素子は少年による使用のために設計され、０．５０Ｄから４．００Ｄの範囲のベースカーブを示し、
コリドーの長さは近業のための必要な加入度の着用者による使用を促進するよう選択される、一連の累進眼鏡レンズ素子。
【請求項２２】  １組のレンズ素子を含み、各レンズは単一のベースカーブを有し、組内の各レンズは所定の加入度において異なり、累進設計を含み、側頭０．５０Ｄ非点収差輪郭から鼻０．５０Ｄ非点収差輪郭までで測定される上方視部の幅は、約２．００Ｄまでの加入度を有するレンズでは、幾何学レンズ中心の７ｍｍ上方の垂直高さで約３４ｍｍ以上であり、
上方視部の周辺はより高い加入度でわずかに増加した面非点収差を示し、
側頭１．００Ｄ非点収差輪郭から鼻１．００Ｄ非点収差輪郭までで測定される下方視部の幅は、１．５０Ｄまでの加入度では、幾何学レンズ中心から−９ｍｍの垂直高さで１４ｍｍ以上であり、下方視部の幅は１．５０Ｄを超える加入度ではわずかに狭くなり、
中間部は約１５ｍｍ以下のコリドー長さを示す、請求項２１に記載の一連の累進眼鏡レンズ素子。
【請求項２３】  各レンズ素子は約１０ｍｍから約１４ｍｍのコリドー長さを示す、請求項２１に記載の一連の累進眼鏡レンズ素子。